(57)【要約】【課題】  稿を読み取って得た処理対象画像データを所定の後処理で処理するのに先だって行うプレビュー表示時において当該所定の後処理が中止された場合の再度の原稿読み取り及びそれに付随する所定の後処理における再設定の手間を最小限にできるようにすること。【解決手段】  原稿読取開始に先立って、予め設定・記憶された基本読取条件をそのまま、または、その基本読取条件が操作入力応じて設定変更された後の読取条件を、これから開始される原稿読取動作における一時的読取条件として設定する読取条件設定制御手段は、前記後処理実行可否判断手段により前記処理対象画像データについての前記所定の後処理が実行不可と判断された場合には、次回行われる原稿読取動作における前記基本読取条件として今回の原稿読取動作における前記一時的読取条件を適用することを特徴とする。【選択図】    図２
2007156180.tif 000002
【特許請求の範囲】
【請求項１】
原稿読取開始に先立って、予め設定・記憶された基本読取条件をそのまま、または、その基本読取条件が操作入力応じて設定変更された後の読取条件を、これから開始される原稿読取動作における一時的読取条件として設定する読取条件設定制御手段と、
前記一時的読取条件に基づいて原稿を読み取り画像データを得る原稿読取手段と、
前記原稿読取手段により読み取られた画像データを記憶・蓄積する画像蓄積手段と、
前記画像蓄積手段に蓄積された処理対象画像データを読み出して行うべき所定の後処理の実行に先立って当該処理対象画像データを表示するプレビュー表示手段と、
前記プレビュー表示手段により表示された前記処理対象画像データについての前記所定の後処理の実行の可否を操作入力に応じて判断する後処理実行可否判断手段と、
前記後処理実行可否判断手段により、前記処理対象画像データについて実行可と判断された場合には前記所定の後処理を実行する一方、実行不可と判断された場合には、前記所定の後処理を実行しない後処理実行制御手段とを備え、
前記読取条件設定制御手段は、前記後処理実行可否判断手段により前記処理対象画像データについての前記所定の後処理が実行不可と判断された場合には、次回行われる原稿読取動作における前記基本読取条件として今回の原稿読取動作における前記一時的読取条件を適用することを特徴とする画像読取装置。
【請求項２】
前記所定の後処理は、前記処理対象画像データの指定宛先への送信処理であることを特徴とする請求項１に記載の画像読取装置。
【請求項３】
前記プレビュー表示手段によるプレビュー表示に先立って、前記処理対象画像データについて行うべき前記所定の後処理としての前記指定宛先への送信処理に係る宛先指定情報を操作入力に応じて設定する送信宛先設定制御手段を備え、
前記送信宛先設定制御手段は、前記後処理実行可否判断手段により前記処理対象画像データについての前記所定の後処理が実行不可と判断された場合には、次回行われる原稿読取動作に付随して設定する宛先指定情報として今回の原稿読取動作における宛先指定情報を適用することを特徴とする請求項２に記載の画像読取装置。
【請求項４】
原稿を読み取り画像データを得る原稿読取手段と、
前記原稿読取手段により読み取られた画像データを記憶・蓄積する画像蓄積手段と、
前記画像蓄積手段に蓄積された処理対象画像データを読み出して行うべき所定の後処理としての指定宛先への送信に係る宛先指定情報を操作入力に応じて設定する送信宛先設定制御手段と、
前記所定の後処理に先立って前記処理対象画像データを表示するプレビュー表示手段と、
前記プレビュー表示手段により表示された前記処理対象画像データについての前記所定の後処理の実行の可否を操作入力に応じて判断する後処理実行可否判断手段と、
前記後処理実行可否判断手段により、前記処理対象画像データについて実行可と判断された場合には前記所定の後処理を実行する一方、実行不可と判断された場合には、前記所定の後処理を実行しない後処理実行制御手段とを備え、
前記送信宛先設定制御手段は、前記後処理実行可否判断手段により前記処理対象画像データについての前記所定の後処理が実行不可と判断された場合には、次回行われる原稿読取動作に付随して設定する宛先指定情報として今回の原稿読取動作における宛先指定情報を適用することを特徴とする画像読取装置。
【請求項５】
原稿読取開始に先立って、予め設定・記憶された基本読取条件をそのまま、または、その基本読取条件が操作入力応じて設定変更された後の読取条件を、これから開始される原稿読取動作における一時的読取条件として設定する読取条件設定制御手順と、
前記一時的読取条件に基づいて原稿を読み取り画像データを得る原稿読取手順と、
前記原稿読取手順により読み取られた画像データを画像蓄積手段に記憶・蓄積する画像記憶手順と、
前記画像蓄積手段に蓄積された処理対象画像データを読み出して行うべき所定の後処理の実行に先立って当該処理対象画像データを表示するプレビュー表示手順と、
前記プレビュー表示手順により表示された前記処理対象画像データについての前記所定の後処理の実行の可否を操作入力に応じて判断する後処理実行可否判断手順と、
前記後処理実行可否判断手順により、前記処理対象画像データについて実行可と判断された場合には前記所定の後処理を実行する一方、実行不可と判断された場合には、前記所定の後処理を実行しない後処理実行制御手順とを備え、
前記、読取条件設定制御手順は、前記後処理実行可否判断手順により前記処理対象画像データについての前記所定の後処理が実行不可と判断された場合には、次回行われる原稿読取動作における前記基本読取条件として今回の原稿読取動作における前記一時的読取条件を適用することを特徴とする画像読取装置の制御方法。
【請求項６】
前記所定の後処理は、前記処理対象画像データの指定宛先への送信処理であることを特徴とする請求項５に記載の画像読取装置の制御方法。
【請求項７】
前記プレビュー表示手順によるプレビュー表示に先立って、前記処理対象画像データについて行うべき前記所定の後処理としての前記指定宛先への送信処理に係る宛先指定情報を操作入力に応じて設定する送信宛先設定制御手順を備え、
前記送信宛先設定制御手順は、前記後処理実行可否判断手順により前記処理対象画像データについての前記所定の後処理が実行不可と判断された場合には、次回行われる原稿読取動作に付随して設定する宛先指定情報として今回の原稿読取動作における宛先指定情報を適用することを特徴とする請求項６に記載の画像読取装置。
【請求項８】
原稿を読み取り画像データを得る原稿読取手順と、
前記原稿読取手順により読み取られた画像データを画像蓄積手段に記憶・蓄積する画像蓄積手順と、
前記画像蓄積手段に蓄積された処理対象画像データを読み出して行うべき所定の後処理としての指定宛先への送信に係る宛先指定情報を操作入力に応じて設定する送信宛先設定制御手順と、
前記所定の後処理に先立って前記処理対象画像データを表示するプレビュー表示手順と、
前記プレビュー表示手順により表示された前記処理対象画像データについての前記所定の後処理の実行の可否を操作入力に応じて判断する後処理実行可否判断手順と、
前記後処理実行可否判断手順により、前記処理対象画像データについて実行可と判断された場合には前記所定の後処理を実行する一方、実行不可と判断された場合には、前記所定の後処理を実行しない後処理実行制御手順とを備え、
前記送信宛先設定制御手順は、前記後処理実行可否判断手順により前記処理対象画像データについての前記所定の後処理が実行不可と判断された場合には、次回行われる原稿読取動作に付随して設定する宛先指定情報として今回の原稿読取動作における宛先指定情報を適用することを特徴とする画像読取装置の制御方法。
【発明の詳細な説明】
【技術分野】
【０００１】
本発明は、スキャナ装置、ファクシミリ装置、複写機、デジタル複合機等への適用に好適な画像読取装置に関する。
【背景技術】
【０００２】
デジタル複写機、ファクス、ネットワークスキャナシステムまたそれらの複合機など、構成として画像読取装置を含む装置において、光学スキャナから読み込んだ画像やネットワークから入力された画像を蓄積保存しておき、後からその蓄積された画像の印刷や送信を行うことのできる装置が製品化されている。
【０００３】
また、蓄積されている画像を実際に印刷や送信する前にプレビュー表示し、事前にその内容を確認できるようにもなっている。
【０００４】
光学スキャナにより読み取り蓄積した処理対象画像データを、所定の後処理、具体的には、印刷、指定宛先への送信、ファイリング、ネットワーク転送（パーソナルコンピュータなどの他装置にとってのスキャナ装置としての動作）により処理するに先だってプレビュー表示により事前確認したときに意図しない画像となっていた場合、つまり、設定した読取条件のうちの一部が所望の設定と異なっていたり（例えば多値読み取りすべき写真原稿を２値で読み取る「文字」モードで読み取ってしまった等）、単純に原稿のセット向きを間違ってしまった場合でも、原稿画像の読み込みから再度やり直すことになる。
【０００５】
このときに、従来は、前記処理対象画像データの元となった原稿を読み取った際に設定された、読取条件、つまり、読み取り対象の原稿のサイズ設定、読み取り解像度設定、読み取り濃度設定、原稿種類（文字、写真、文字写真混在等）の設定等の各種設定の状態は破棄されて、再度の原稿読み取り時には初期設定の読取条件に戻ってしまうため、再度一から読取条件の設定が必要となり、設定操作が煩雑になってしまうという問題点があった。
【０００６】
また、前記処理対象データについての前記所定の後処理が、指定宛先への送信であった場合、従来は、プレビュー表示前に設定された宛先指定情報が破棄されてしまうため、再度宛先指定操作をやりなおす必要があるという問題点があった。
【０００７】
本願発明に関連する従来技術としては、特許文献１を挙げることができる。
【特許文献１】特許第3563606号公報
【発明の開示】
【発明が解決しようとする課題】
【０００８】
しかし、特許文献１に記載の技術は、プレビュー表示後の継続/中止結果とそのときの印刷条件でデータベースを構築するものであり、所定の後処理に先立つプレビュー表示時において当該所定の後処理が取り消された場合に行われる、原稿の再度の読み取り時における読取条件の再設定や、前記所定の後処理としての指定宛先への送信に係る宛先指定情報の再設定の煩わしさの解消については何ら問題解決の手段を提供していない。
【０００９】
本発明は係る事情に鑑みてなされたものであり、原稿を読み取って得た処理対象画像データを所定の後処理で処理するのに先だって行うプレビュー表示時において当該所定の後処理が中止された場合の再度の原稿読み取り及びそれに付随する所定の後処理における再設定の手間を最小限にでき操作性のよい画像読取装置及びその制御方法を提供することを目的とする。
【課題を解決するための手段】
【００１０】
請求項１に記載の画像読取装置は、原稿読取開始に先立って、予め設定・記憶された基本読取条件をそのまま、または、その基本読取条件が操作入力応じて設定変更された後の読取条件を、これから開始される原稿読取動作における一時的読取条件として設定する読取条件設定制御手段と、前記一時的読取条件に基づいて原稿を読み取り画像データを得る原稿読取手段と、前記原稿読取手段により読み取られた画像データを記憶・蓄積する画像蓄積手段と、前記画像蓄積手段に蓄積された処理対象画像データを読み出して行うべき所定の後処理の実行に先立って当該処理対象画像データを表示するプレビュー表示手段と、前記プレビュー表示手段により表示された前記処理対象画像データについての前記所定の後処理の実行の可否を操作入力に応じて判断する後処理実行可否判断手段と、前記後処理実行可否判断手段により、前記処理対象画像データについて実行可と判断された場合には前記所定の後処理を実行する一方、実行不可と判断された場合には、前記所定の後処理を実行しない後処理実行制御手段とを備え、前記読取条件設定制御手段は、前記後処理実行可否判断手段により前記処理対象画像データについての前記所定の後処理が実行不可と判断された場合には、次回行われる原稿読取動作における前記基本読取条件として今回の原稿読取動作における前記一時的読取条件を適用することを特徴とする。
【００１１】
請求項２に記載の画像読取装置は、請求項１に記載の画像読取装置において、前記所定の後処理は、前記処理対象画像データの指定宛先への送信処理であることを特徴とする。
【００１２】
請求項３に記載の画像読取装置は、請求項２に記載の画像読取装置において、前記プレビュー表示手段によるプレビュー表示に先立って、前記処理対象画像データについて行うべき前記所定の後処理としての前記指定宛先への送信処理に係る宛先指定情報を操作入力に応じて設定する送信宛先設定制御手段を備え、前記送信宛先設定制御手段は、前記後処理実行可否判断手段により前記処理対象画像データについての前記所定の後処理が実行不可と判断された場合には、次回行われる原稿読取動作に付随して設定する宛先指定情報として今回の原稿読取動作における宛先指定情報を適用することを特徴とする。
【００１３】
請求項４に記載の画像読取装置は、原稿を読み取り画像データを得る原稿読取手段と、前記原稿読取手段により読み取られた画像データを記憶・蓄積する画像蓄積手段と、前記画像蓄積手段に蓄積された処理対象画像データを読み出して行うべき所定の後処理としての指定宛先への送信に係る宛先指定情報を操作入力に応じて設定する送信宛先設定制御手段と、前記所定の後処理に先立って前記処理対象画像データを表示するプレビュー表示手段と、前記プレビュー表示手段により表示された前記処理対象画像データについての前記所定の後処理の実行の可否を操作入力に応じて判断する後処理実行可否判断手段と、前記後処理実行可否判断手段により、前記処理対象画像データについて実行可と判断された場合には前記所定の後処理を実行する一方、実行不可と判断された場合には、前記所定の後処理を実行しない後処理実行制御手段とを備え、前記送信宛先設定制御手段は、前記後処理実行可否判断手段により前記処理対象画像データについての前記所定の後処理が実行不可と判断された場合には、次回行われる原稿読取動作に付随して設定する宛先指定情報として今回の原稿読取動作における宛先指定情報を適用することを特徴とする。
【００１４】
請求項５に記載の画像読取装置の制御方法は、原稿読取開始に先立って、予め設定・記憶された基本読取条件をそのまま、または、その基本読取条件が操作入力応じて設定変更された後の読取条件を、これから開始される原稿読取動作における一時的読取条件として設定する読取条件設定制御手順と、前記一時的読取条件に基づいて原稿を読み取り画像データを得る原稿読取手順と、前記原稿読取手順により読み取られた画像データを画像蓄積手段に記憶・蓄積する画像記憶手順と、前記画像蓄積手段に蓄積された処理対象画像データを読み出して行うべき所定の後処理の実行に先立って当該処理対象画像データを表示するプレビュー表示手順と、前記プレビュー表示手順により表示された前記処理対象画像データについての前記所定の後処理の実行の可否を操作入力に応じて判断する後処理実行可否判断手順と、前記後処理実行可否判断手順により、前記処理対象画像データについて実行可と判断された場合には前記所定の後処理を実行する一方、実行不可と判断された場合には、前記所定の後処理を実行しない後処理実行制御手順とを備え、前記読取条件設定制御手順は、前記後処理実行可否判断手順により前記処理対象画像データについての前記所定の後処理が実行不可と判断された場合には、次回行われる原稿読取動作における前記基本読取条件として今回の原稿読取動作における前記一時的読取条件を適用することを特徴とする。
【００１５】
請求項６に記載の画像読取装置の制御方法は、請求項５に記載の画像読取装置の制御方法において、前記所定の後処理は、前記処理対象画像データの指定宛先への送信処理であることを特徴とする。
【００１６】
請求項７に記載の画像読取装置の制御方法は、請求項６に記載の画像読取装置において、前記プレビュー表示手順によるプレビュー表示に先立って、前記処理対象画像データについて行うべき前記所定の後処理としての前記指定宛先への送信処理に係る宛先指定情報を操作入力に応じて設定する送信宛先設定制御手順を備え、
前記送信宛先設定制御手順は、前記後処理実行可否判断手順により前記処理対象画像データについての前記所定の後処理が実行不可と判断された場合には、次回行われる原稿読取動作に付随して設定する宛先指定情報として今回の原稿読取動作における宛先指定情報を適用することを特徴とする。
【００１７】
請求項８に記載の画像読取装置の制御方法は、原稿を読み取り画像データを得る原稿読取手順と、前記原稿読取手順により読み取られた画像データを画像蓄積手段に記憶・蓄積する画像蓄積手順と、前記画像蓄積手段に蓄積された処理対象画像データを読み出して行うべき所定の後処理としての指定宛先への送信に係る宛先指定情報を操作入力に応じて設定する送信宛先設定制御手順と、前記所定の後処理に先立って前記処理対象画像データを表示するプレビュー表示手順と、前記プレビュー表示手順により表示された前記処理対象画像データについての前記所定の後処理の実行の可否を操作入力に応じて判断する後処理実行可否判断手順と、前記後処理実行可否判断手順により、前記処理対象画像データについて実行可と判断された場合には前記所定の後処理を実行する一方、実行不可と判断された場合には、前記所定の後処理を実行しない後処理実行制御手順とを備え、前記送信宛先設定制御手順は、前記後処理実行可否判断手順により前記処理対象画像データについての前記所定の後処理が実行不可と判断された場合には、次回行われる原稿読取動作に付随して設定する宛先指定情報として今回の原稿読取動作における宛先指定情報を適用することを特徴とする。
【発明の効果】
【００１８】
請求項１に係る発明によれば、原稿を読み取り処理対象画像データを得た後のプレビュー表示時に、当該処理対象画像データについて行うべき所定の後処理の実行が中止された場合、つまり、次回の原稿読み取りでは、同一原稿が再度読み取られる可能性が高い場合には、次回の原稿読取動作における前記一時読取条件の基となる前記基本読取条件として、今回の原稿読取動作における前記一時読取条件が適用されることになるため、次回の、読み取り直しに係る原稿読取動作においては、前記基本読取条件に基づいて一から前記一時読取条件を設定しなくても、前回設定された一時読取条件のまま、または、それの部分修正で対応できるため、再設定の手間を最小限にでき操作性のよい画像読取装置を提供することが可能となる効果が得られる。
【００１９】
請求項２に係る発明によれば、前記所定の後処理が指定宛先への送信処理である場合に請求項１に係る発明を適用することが可能となる効果が得られる。
【００２０】
請求項３に係る発明によれば、更に、原稿を読み取り処理対象画像データを得ると共に送信宛先を指定した後のプレビュー表示時に、当該処理対象画像データについて行うべき所定の後処理の実行が中止された場合、つまり、次回の原稿読み取り・送信では、同一の宛先が指定される可能性が高い場合には、次回の原稿読取動作に付随する指定宛先への送信処理に係る宛先指定情報として、今回の原稿読取動作に付随する指定宛先への送信処理に係る宛先指定情報が適用されることになるため、次回の、読み取り直しに係る原稿読取動作に付随する指定宛先への送信処理においては、宛先指定情報を一から入力・設定しなくても、前回設定された宛先指定情報のまま、または、それの部分修正で対応できるため、再設定の手間を最小限にでき操作性のよい画像読取装置を提供することが可能となる効果が得られる。
【００２１】
請求項４に係る発明によれば、原稿を読み取り処理対象画像データを得ると共に送信宛先を指定した後のプレビュー表示時に、当該処理対象画像データについて行うべき所定の後処理の実行が中止された場合、つまり、次回の原稿読み取り・送信では、同一の宛先が指定される可能性が高い場合には、次回の原稿読取動作に付随する指定宛先への送信処理に係る宛先指定情報として、今回の原稿読取動作に付随する指定宛先への送信処理に係る宛先指定情報が適用されることになるため、次回の、読み取り直しに係る原稿読取動作に付随する指定宛先への送信処理においては、宛先指定情報を一から入力・設定しなくても、前回設定された宛先指定情報のまま、または、それの部分修正で対応できるため、再設定の手間を最小限にでき操作性のよい画像読取装置を提供することが可能となる効果が得られる。
【００２２】
請求項５に係る発明によれば、原稿を読み取り処理対象画像データを得た後のプレビュー表示時に、当該処理対象画像データについて行うべき所定の後処理の実行が中止された場合、つまり、次回の原稿読み取りでは、同一原稿が再度読み取られる可能性が高い場合には、次回の原稿読取動作における前記一時読取条件の基となる前記基本読取条件として、今回の原稿読取動作における前記一時読取条件が適用されることになるため、次回の、読み取り直しに係る原稿読取動作においては、前記基本読取条件に基づいて一から前記一時読取条件を設定しなくても、前回設定された一時読取条件のまま、または、それの部分修正で対応できるため、再設定の手間を最小限にでき操作性のよい画像読取装置の制御方法を提供することが可能となる効果が得られる。
【００２３】
請求項６に係る発明によれば、前記所定の後処理が指定宛先への送信処理である場合に請求項５に係る発明を適用することが可能となる効果が得られる。
【００２４】
請求項７に係る発明によれば、更に、原稿を読み取り処理対象画像データを得ると共に送信宛先を指定した後のプレビュー表示時に、当該処理対象画像データについて行うべき所定の後処理の実行が中止された場合、つまり、次回の原稿読み取り・送信では、同一の宛先が指定される可能性が高い場合には、次回の原稿読取動作に付随する指定宛先への送信処理に係る宛先指定情報として、今回の原稿読取動作に付随する指定宛先への送信処理に係る宛先指定情報が適用されることになるため、次回の、読み取り直しに係る原稿読取動作に付随する指定宛先への送信処理においては、宛先指定情報を一から入力・設定しなくても、前回設定された宛先指定情報のまま、または、それの部分修正で対応できるため、再設定の手間を最小限にでき操作性のよい画像読取装置の制御方法を提供することが可能となる効果が得られる。
【００２５】
請求項８に係る発明によれば、原稿を読み取り処理対象画像データを得ると共に送信宛先を指定した後のプレビュー表示時に、当該処理対象画像データについて行うべき所定の後処理の実行が中止された場合、つまり、次回の原稿読み取り・送信では、同一の宛先が指定される可能性が高い場合には、次回の原稿読取動作に付随する指定宛先への送信処理に係る宛先指定情報として、今回の原稿読取動作に付随する指定宛先への送信処理に係る宛先指定情報が適用されることになるため、次回の、読み取り直しに係る原稿読取動作に付随する指定宛先への送信処理においては、宛先指定情報を一から入力・設定しなくても、前回設定された宛先指定情報のまま、または、それの部分修正で対応できるため、再設定の手間を最小限にでき操作性のよい画像読取装置の制御方法を提供することが可能となる効果が得られる。
【発明を実施するための最良の形態】
【００２６】
以下、添付図面を参照しながら、本発明を実施するための最良の形態について説明する。
【００２７】
図１に本発明を実施するための最良の形態に係る画像形成装置１００とその周辺機器を含めたシステムの全体の構成を示す。
【００２８】
画像形成装置１００は、スキャナ機能の他に、コピー、ファクス、プリンタなどの複数の機能を持つマルチファンクション機器であり、原稿ガラスや自動原稿給紙台を使用して、原稿や写真などの紙媒体の画像を、光学的にスキャニングを行い電子データ化することができる。また、ネットワークに接続する為のシステム（IPアドレスの割り当てや、ネットワーク・インターフェース・カードの装備など）を持ち、ユーザのPCから接続することで遠隔操作を行うことができる。また、さまざまなネットワークプロトコルを持ち、外部との画像データのやりとりや、その他ユーザ情報などのデータのやりとりを行う。内部にハードディスク（HDD）を持つ。
【００２９】
クライアントＰＣ５００ａ、ｂ、ｃは、さまざまな手段で画像読取装置１００から画像データを受信するユーザ側のである。
【００３０】
配信サーバ２００は、スキャン画像の配信機能を実現するための専用サーバである。サーバＰＣ２０１にインストールされたサーバソフトは、画像読取装置１００の情報とユーザ情報を管理し、また、そのユーザ情報に基づいて画像読取装置１００から送信された画像データをユーザのメールアドレスへの送信や、ユーザ用の専用フォルダへの格納を行う。また、モデム２０２を用いたファックスによるスキャン画像データの送信機能も持っている。
【００３１】
イーサネット７００は、バス型のローカルエリアネットワーク（ＬＡＮ）である。
【００３２】
ＳＭＴＰサーバは、電子メールの受信を行うためのプロトコルであるＳＭＴＰに対応した機能を備えたサーバである。ＳＭＴＰのプロトコルによって、画像読取装置１００からユーザ特有のメールアドレスの指定を受けて画像データを受信し、また、ＰＯＰのプロトコルにて、ユーザからの要求で受信している電子メールをユーザ側のＰＣへ送信する。
【００３３】
ＦＴＰサーバ３００は、ファイル転送プロトコルＦＴＰとそのプロトコルによってファイル管理する機能を持つサーバである。ＦＴＰのプロトコルによって、画像読取装置１００はＦＴＰサーバにデータをＰＵＴする（転送する）。またユーザのクライアントＰＣはＦＴＰによってその画像データをＦＴＰサーバ３００からＧＥＴする（転送を受ける）ことができる。
【００３４】
ＳＭＢプロトコルは、ネットワークプロトコルの一つであり、これによりファイル共有が可能である。このプロトコルによって画像読取装置１００はクライアントＰＣ５００ｃ等に画像データを送信する。
【００３５】
その他、さまざまなネットワークプロトコルによって画像データが送信可能なシステムである。
【００３６】
図２は、画像読取装置１００の断面概略構成図であり、図中、１０は原稿読取部、４０はプリント部、５０は給紙部、６０は排紙部である。
【００３７】
原稿読取部１０は、自動原稿送り装置（ＡＤＦ）１１、原稿台１２、給送ローラ１３、給送ベルト１４、コンタクトガラス１６及び原稿セット検知センサ１７を有する。また、露光ランプ２１、第１ミラー２２、第２ミラー２３、第３ミラー２４、レンズ２５、ＣＣＤイメージセンサ２６からなる光学走査系を有し、露光ランプ２１及び第１ミラー２２は不図示の第１キャリッジ上に固定され、第２ミラー２３及び第３ミラー２４は不図示の第２キャリッジ上に固定されている。
【００３８】
原稿読取部１０は更に、レーザ出力ユニット３１、結像レンズ３２及び反射ミラー３３を有し、レーザ出力ユニット３１の内部には、レーザ光源であるレーザダイオード及びモータによって高速で定速回転するポリゴンミラーが設置されている。図２には電装部は示されていないが、画像読取装置１００は、前記ＣＣＤイメージセンサ２６で変換された原稿画像情報を記憶する記憶装置を有し、原稿画像情報は、一旦、この記憶装置に記憶され、そこから読み出されてレーザダイオードの出射光を変調する。変調されたレーザ光は、定速回転するポリゴンミラーによって偏向、走査され、結像レンズ３２を通って反射ミラー３３で折り返され、プリント部４０の感光体ドラム４１に集光する。
【００３９】
プリント部４０は、感光体ドラム４１、現像ユニット４２、転写ユニット４３、定着ユニット４４、排紙ユニット４５を有する。感光体ドラム４１は、図示しない帯電チャージャにより表面が高電位に帯電し、前記レーザ光は、前記ポリゴンミラーによって感光体ドラム４１が回転する方向と直交する主走査方向に偏向、走査され、感光体ドラムの回転速度と記録密度に対応した所定の周期で主走査を繰り返すと、表面電位は照射された光の強度に応じて変化し、感光体ドラム４１上に原稿の濃淡分布に対応する静電潜像が形成される。静電潜像は、現像ユニット４２のトナーにより現像され、転写ユニット４３で、給紙部５０から搬送されてきた転写紙に転写される。
【００４０】
給紙部５０は、第１トレイ５１、第２トレイ５２、第３トレイ５３及び、第１給紙装置５４、第２給紙装置５５、第３給紙装置５６並びに、縦搬送ユニット５７を有する。ユーザーにより所定サイズの転写紙が指定されると、指定サイズの転写紙のトレイが選択され、そこから指定サイズの転写紙が当該給紙装置、縦搬送ユニット５７を経て転写ユニット４３へと搬送される。転写ユニット４３でトナー像が転写された転写紙は、定着ユニット４４に搬送される。定着ユニット４４は、不図示の加熱ローラと加圧ローラを有し、加熱ローラは不図示のヒーターにより予め加熱されている。トナー像が転写された転写紙は、これらローラ間に挟まれて通過する間にトナーが熱融着し、転写紙に定着する。トナー像が定着した転写紙は、排紙ユニット４５により排紙部６０に排紙される。
【００４１】
排紙部６０は、搬送された転写紙を排紙する排紙トレイ６１及びステープル台６２、紙揃え用のジョガー６８、ステープラ６９及びステープル完了排紙トレイ７１からなる。
【００４２】
前記排紙ユニット４５によって搬送された転写紙は、切り替え板６３を下に切り替えることにより、搬送ローラ６４及び６５を経由して排紙トレイ６１側に排紙し、切り替え板６３を上に切り替えることで、搬送ローラ６６を経由してステープル台６２に排紙する。ステープル台６２に排紙、積載された転写紙は、一枚排紙されるごとに紙揃え用のジョガー６７によって、紙端面が揃えられ、１部のコピー完了と共にステープラ６８によって綴じられる。ステープラ６８で綴じられた転写紙群は、自重によってステープル完了排紙トレイ６９に収納される。排紙トレイ６１は、転写紙搬送方向に対し直角に移動可能な構成を有し、このため、転写紙搬送方向に対し直角に移動し、排出されてくるコピー紙を簡単に仕分けることができる。
【００４３】
転写紙の両面に画像を作像する場合は、各給紙トレイ５１〜５３から給紙され画像形成された転写紙を排紙トレイ６１側に導かないで、経路切り替えのための分岐爪７１を上側にセットすることで、スイッチバック反転し、一旦両面給紙ユニット７２にストックする。その後、両面給紙ユニット７２にストックされた転写紙を、再びプリント部４０に再給紙し、静電潜像の生成、現像、転写、定着を行って、経路切り替えの為の分岐爪７１を今度は下側にセットし、排紙トレイ６１に導く。
【００４４】
図３は、画像読取装置１００の制御系のブロック構成図であり、図中、メインコントローラ８０は、液晶型の表示・操作部７０、自動原稿送り装置（ＡＤＦ）１１、原稿画像データを画像メモリに書き込む制御、及び画像メモリに記憶された画像データを用いて作画する制御等を行う画像処理ユニット（ＩＰＵ）８０を備え、デジタル複写機全体を制御する。液晶型の表示・操作部７０は、液晶画面７５、スタートキー７６を有する。画像処理ユニット８０には、ハードディスク装置９６，ＣＤ−Ｒ、ＤＶＤなどの外部記憶装置９８が接続される。なお、図示を省略しているが、メインコントローラ８０は、ＣＰＵ、該ＣＰＵが実行するプログラムを記憶するＲＯＭ、各種データを記憶するＲＡＭ、現在時刻を計時するタイマー等を有する。なお、メインコントローラ８０は、図示を省略したＬＡＮインターフェースによりＬＡＮ７００に接続され、ＬＡＮ７００を介した画像データの送信を行える。また、電話回線用のインターフェースやその他必要なインターフェースを備えれば、そのインターフェースに接続される通信網を介した画像データの指定宛先への送信が可能である。
【００４５】
図４は、画像処理ユニット８０のブロック構成図であり、図中、Ａ／Ｄコンバータ８１は、ＣＣＤイメージセンサ２６からの画像データ信号をデジタル信号に変換する。シェーディング補正部８２は、デジタル信号に変換された画像データをシェーディング補正し、ＭＴＦ・γ補正部８３によりＭＴＦ補正、γ補正する。補正された信号は、更に変倍処理部８４で表示・操作部７０で指示された変倍条件に合わせて拡大又は縮小する。拡大又は縮小された画像データは、セレクタ８５に渡される。セレクタ８５は、画像データの送り先を、書き込みγ補正ユニット８９又は画像メモリコントローラ８６へ切り換える。書き込みγ補正ユニット８９を経由した画像データは、作画条件に合わせて書き込みγ補正がなされ、書き込みユニットに送られる。画像メモリコントローラ８６とセレクタ８５との間は、双方向に画像データを入出力可能な構成となっている。
【００４６】
また、画像処理ユニット８０は、画像メモリコントローラ８６の制御や原稿読取部１０の制御等を行うＣＰＵ８８、及びそのプログラムやデータを格納するＲＯＭ９１、ＲＡＭ９２、ＮＶ−ＲＡＭ９３を備えている。画像メモリコントローラ８６は、ＣＰＵ８８の指示により画像メモリ８７のデータ書き込み、読み出しを制御する。
【００４７】
ここで、画像メモリコントローラ８６へ送られた画像データは、画像メモリコントローラ８６内にある画像圧縮装置によって圧縮され、画像メモリ８７へ送られる。画像データの圧縮により限られた画像メモリを有効に利用できるが、その他に一度の多くの原稿データを記憶することができるために、例えば、ソート機能を用いる際、原稿データをページ順に出力したり、また複数枚の原稿画像データを画像メモリ８７の転写紙１枚分のエリアを分割したエリアに書込むことができるため集約コピーが可能になる。なお、ハードディスク装置９６，ＣＤーＲ等の外部記憶装置９８の画像データをＳＣＳＩコントローラ９７を介して読み出して使用することもある。
【００４８】
画像メモリ８７の画像データは、ＣＰＵ８８からアクセス可能な構成となっている。このため、画像メモリ８７の画像データを間引き処理、切り出し処理等のほか、転写紙サイズデータと変倍した原稿画像データに基いて原稿画像データの印刷プレビュー画像を作画加工することができる。この加工は、画像メモリコントローラ８６内の不図示のレジスタに加工用データを書込むことにより行う。作画加工された画像データは、再度画像メモリ８７に記憶する。ＣＰＵ８８は、画像メモリ８７の画像データを読み出し、Ｉ／Ｏポート９４を経て表示・操作部７０へ転送し、表示可能になる。なお、原稿画像データをそのまま表示するときは、表示・操作部７０の画面表示解像度が低いため間引き処理が行われて転送される。
【００４９】
図５は操作部７０の液晶画面の表示例である。
【００５０】
同図において、左側には、読取条件を設定する読取条件設定キーである「読み取り設定」キー、「サイズ混載」キー、「両面」キーがある。なお、液晶表示画面上の各キーはの押下はタッチパネル方式で検出される。
【００５１】
同図において、中央付近にはスキャナ読み取りした画像データの送信宛先を設定するためのキーがある。この例では６種類のワンタッチキー（「リーダー」等）が表示されており、キーを押下することにより対応して予め登録・記憶されている宛先指定情報（ＮＶ−ＲＡＭ（書き換え可能な不揮発性メモリ）９３に記憶されている）みを選択設定することができる。ワンタッチキーの内容の登録は別の初期設定画面（説明略）で行う。
【００５２】
同図において、右側には、送信者を設定する「送信者」キー、ファイル形式を指定する「ファイル形式」キーがある。またプレビューモードを設定するための「プレビュー」キーがあり、押下の度に設定モードをＯＮ／ＯＦＦするトグル動作キーになっている。その設定状態はフラグ情報としてＮＶ−ＲＡＭ９３に記憶される
【００５３】
図６は、図５の「読み取り設定（読取条件設定）」キーを押下したときの表示画面である。
【００５４】
同図において、読取条件を設定する画面が開き、原稿種類、解像度、読取サイズ、濃度設定が可能になっている。
【００５５】
図７は、図５の「プレビュー」キーによりプレビューモードがＯＮの場合に、原稿読み取り及び送信宛先指定後に自動的に起動されるプレビュー表示画面例である。処理を継続する「送信」キーと、処理を中止する「中止」キーが備えられている。
【００５６】
図８に示すように、ＮＶ−ＲＡＭ９３の記憶領域９３ａには、基本読取条件設定テーブルが予め設定・記憶されている。その基本読取条件設定テーブル９３ａの設定内容は、図６の「読み取り設定」画面における初期値となるものである。具体的には、図６において、原稿種類「文字」が基本読取条件設定テーブル９３ａに初期設定として設定されている。なお、テーブル９３ａの内容は、画像読取装置１００の出荷時に最も一般的な設定の組み合わせが設定され、ユーザに納品後に、所定の設定操作により、設定変更可能なものであるが、従来は、基本読取条件設定テーブル９３ａの設定内容が、必ず、原稿読取動作（セットされた原稿の全ページを読み取る動作）開始に先立つ読み取り条件設定の初期設定とされていた。そのため、プレビュー表示段階で読み取り直しが必要と判断された場合に、次の読み取り直しに係る原稿読取動作において参照すべき読取条件は、前回のまま、または、前回の一時的読取条件に少し変更を加えれば済む場合が多いのに、初期設定に戻されてしまい設定操作が煩雑であった。
【００５７】
図６の設定操作により、基本読取条件設定テーブル９３ａの初期設定がユーザの必要に応じて設定変更され（初期設定のままの場合もある）原稿読取動作開始前の最終的な設定内容が、図９に示すように、ＲＡＭ９２の記憶領域９２ａに、一時的読取条件設定テーブルとして記憶され、原稿読取動作時に参照され、設定通りの条件での原稿読取が行われる。
【００５８】
また、図９において、ＲＡＭ９の記憶領域９２ｂには、プレビュー表示前の原稿読取開始に先立つ、図５の送信宛先設定操作により設定された宛先指定情報（１または複数宛先）が記憶される。画像読取装置１００のメインコントローラ８０は、その宛先指定情報により特定される１または複数の送信宛先（メールアドレス、ＩＰアドレス、ファクシミリ番号など）宛てに、原稿を読み取り、画像メモリ８７にいったん蓄積した処理対象画像データを読み出して送信する。
【００５９】
従来は、プレビュー表示段階で読み取り直しが必要と判断された場合に、次の読み取り直しに係る原稿読取動作に付随する指定宛先への送信処理において参照すべき宛先指定情報は、前回のまま、または、前回の宛先指定情報を少し変更または追加すれば済む場合が多いのに、情報がリセットされてしまい一から宛先指定しなければならなくなり、設定操作が煩雑であった。
【００６０】
そこで、本発明を実施するための最良の形態では、図１０に示す画像読取送信制御処理を行うことにより、プレビュー表示段階で中止された原稿読取・送信処理に関わる読取条件や宛先指定情報を次回の読み取り直しに係る原稿読取・送信処理においても維持するよにすることで、操作の煩雑さを緩和する。
【００６１】
図１０において、メインコントローラ８０は、読取条件を初期化すると共に（処理Ｓ１０１）、宛先を全解除した上で（処理Ｓ１０２）、判断Ｓ１０３移行のメインのループ処理に移行する。
【００６２】
処理Ｓ１０１の読取条件を初期化は、具体的には、図８の基本読取条件設定テーブル９３ａの内容を、図９の一時的読取条件設定テーブル９２ａとしてコピーする処理である。それにより、後の読み取り条件設定操作は、実質的に基本読取条件の変更操作ということになる。
【００６３】
処理Ｓ１０２の宛先の全解除は、具体的には、図９の宛先指定情報９２ｂの内容を削除する処理であり、それにより、後の宛先指定操作においては、一から送信宛先を指定することになる。
【００６４】
判断Ｓ１０３においては、最初にキー押下を待ち（判断Ｓ１０３のＮｏのループ）、キーが押下された場合（判断Ｓ１０３のＹｅｓ）、読取条件を設定するためのキー操作であれば（判断Ｓ１０４のＹｅｓ）、操作内容に対応する読取条件を設定し（処理Ｓ１１４）、判断Ｓ１０３に戻る。その場合、処理Ｓ１１４の操作内容に対応する読取条件を設定は具体的には、操作内容に応じた、図９の一時的読取条件設定テーブル９２ａの書き換えである。
【００６５】
宛先を設定するためのキー操作であれば（判断Ｓ１０５のＹｅｓ）、操作内容に対応する送信宛先を設定し（処理Ｓ１１５）、判断Ｓ１０３に戻る。その場合、処理Ｓ１１５の送信宛先の具体的には、操作内容に応じた、図９の宛先指定情報９２ｂの書き換え（１件追加／削除等）である。
【００６６】
プレビューモードを設定するキーであれば（判断Ｓ１０６のＹｅｓ）、プレビューモード（プレビュー表示機能のＯＮ／ＯＦＦ）を設定し（処理Ｓ１１６）、判断Ｓ１０３に戻る。
【００６７】
スタートキーであれば（判断Ｓ１０７のＹｅｓ）、設定された読取条件に従って原稿の読取を開始する（処理Ｓ１０８以降）。それ以外のキーであれば（判断Ｓ１０７のＮｏ）、そのキーに対応した処理を行い（処理Ｓ１１７）、判断Ｓ１０３に戻る。
【００６８】
判断Ｓ１０７がＹｅｓとなると、全ページの原稿の読み取り（とそれに付随する蓄積処理）が完了するまで、原稿の読み取り（とそれに付随する蓄積処理）を繰り返し行う（処理Ｓ１０８、判断Ｓ１０９のＮｏのループ）。なお、画像データの蓄積は、画像メモリ８７を用いる。
【００６９】
そして、読み取り（と蓄積）が完了すると（判断Ｓ１０９のＹｅｓ）、プレビューモードがＯＮでない場合は（判断Ｓ１１０のＮｏ）、読み取った原稿画像を、設定された宛先（図９の宛先指定情報９２ｂにより特定される）へ送信し、送信完了後に読取条件の初期化と（処理Ｓ１１９）、宛先の全解除（処理Ｓ１２０）を行う。処理Ｓ１１９は、処理Ｓ１０１と同様の処理であり、処理Ｓ１２０は、処理Ｓ１０２と同様の処理である。
【００７０】
処理Ｓ１１８及びＳ１１９は、次に他の操作者（もちろん今回と同一者の場合もある）が装置を使用する場合に、読み取らせようとする原稿に適さない、誤った読取条件で原稿を読み取ったり、誤った宛先へ送信することを避けるためである。また、送信済みの原稿画像情報を破棄（メモリからの消去）し（処理Ｓ１２１）、操作部のキー入力待ち（判断Ｓ１０３）へ戻る。
【００７１】
判断Ｓ１１０において、プレビューモードがＯＮだった場合は、読み取り蓄積していた処理対象の画像データの先頭画像のプレビュー表示を行う（処理Ｓ１１１）。そのプレビュー表示は、図７に示した通りである。本発明を実施するための最良の形態では、先頭画像のみをプレビュー表示する構成としているが、プレビュー中に他のページのプレビュー表示に切り換えられる構成にしてもよいし、プレビュー画像の拡大/縮小などの機能を備えてもよし、スクロール機能を備えていてもよい。
【００７２】
処理Ｓ１１１のプレビュー表示により、写真原稿を中間調で読み取りたかったのに、２値で読み取る「文字」モードの設定で読み取ってしまったことに気づいたり、原稿サイズや解像度の指定を誤ってしまったことに気づいたり、単純に、原稿のセット向きを間違ってしまったことに気づいたりした場合、操作者は、図７の「中止」キーを押下（タッチ）し、プレビュー表示が所望の通りだった場合には、図７の「送信」キーを押下（タッチ）することになる。
【００７３】
なお、処理Ｓ１１１のプレビュー表示において気づく設定誤りは、多数の設定項目のうちの一部であり、その他の設定は操作者が所望した通りの設定である場合が多い。
【００７４】
処理Ｓ１１１の後は、図７の「送信」キーまたは、図７の「中止」キーのいずれかが押下（タッチ）されるまで待ち（判断Ｓ１１２のＮｏ、判断Ｓ１１３のＮｏのループ）、図７の「送信」キーか押下された場合には（判断Ｓ１１２のＹｅｓ）、所定の後処理としての前述の処理Ｓ１１８を行い、処理Ｓ１１９，Ｓ１２０，Ｓ１２１を行い、操作部のキー入力待ち（判断Ｓ１０３）へ戻る。
【００７５】
それによりプレビュー表示段階で指定宛先への送信処理が許可された場合には、設定された宛先への送信、読み取り条件の初期化、宛先の全解除が行われ、次回の原稿読取・送信動作時に、今回の設定が悪影響を与えることが防止される。
【００７６】
一方、図７の「中止」キーか押下された場合には（判断Ｓ１１３のＹｅｓ）、所定の後処理としての前述の処理Ｓ１１８を行わず、処理Ｓ１１９，Ｓ１２０も行わず、Ｓ１２１だけを行い、操作部のキー入力待ち（判断Ｓ１０３）へ戻る。
【００７７】
それによりプレビュー表示段階で指定宛先への送信処理が中止された場合には、設定された宛先への送信は当然中止されるが、そればかりでなく、読み取り条件の初期化、宛先の全解除が行われないため、次回の読み取り直しに係る原稿読取・送信動作時には、処理Ｓ１１４の読取条件の設定においては、今回の原稿読取・送信動作において図９の記憶領域９２ａに最終的に設定・記憶された一時読取条件が、読取条件の初期設定となるため、その設定のまま、または最小限の設定変更操作で読み取り直し・送信をすることができ操作性がよくなる。
【００７８】
また、次回の読み取り直しに係る原稿読取・送信動作時には、処理Ｓ１１５の送信宛先設定においては、今回の原稿読取・送信動作において図９の記憶領域９２ｂに最終的に設定・記憶された宛先指定情報が、宛先指定情報の初期設定となるため、その設定のまま、または、もし必要なら最小限の設定変更操作で読み取り直し・送信をすることができ操作性がよくなる。
【００７９】
なお、読取条件の具体的な設定項目の種類や、送信宛先指定形態により本発明は限定されるものではなく、初期設定の読取条件（基本読取条件）に基づいて設定した一時的読取条件で原稿を読み取り処理対象画像データを得ると共に送信宛先を指定した上で当該処理対象画像データをプレビュー表示して、その時点で、当該所定の処理対象画像データに対して行うべき所定の後処理（本発明を実施するための最良の形態では指定宛先への送信処理）を行うか中止するかの指定を行う、構成として画像読取装置を含む装置であれば、本発明は同様に適用可能なものである。
【００８０】
また、以上本発明を実施するための最良の形態について説明したが、本発明は上記のものに限定されるものではなく、その要旨を逸脱しない範囲で種々変更可能であることはいうまでもない。
【図面の簡単な説明】
【００８１】
【図１】本発明を実施するための最良の形態に係る画像形成装置１００とその周辺機器を含めたシステムの全体の構成を示す図である。
【図２】画像読取装置１００の断面概略構成図である。
【図３】画像読取装置１００の制御系のブロック構成図である。
【図４】図４は、画像処理ユニット８０のブロック構成図である。
【図５】図５は操作部７０の液晶画面の表示例を示す図である。
【図６】図５の「読み取り設定（読取条件設定）」キーを押下したときの表示画面について示す図である。
【図７】図７は、図５の「プレビュー」キーによりプレビューモードがＯＮの場合に、原稿読み取り及び送信宛先指定後に自動的に起動されるプレビュー表示画面例について示す図である。
【図８】ＮＶ−ＲＡＭ９３の記憶内容について示す図である。
【図９】ＲＡＭ９２の記憶内容について示す図である。
【図１０】画像読取装置１００が行う、画像読取送信制御処理手順について示すフローチャートである。
【符号の説明】
【００８２】
１００  画像読取装置
【図１】
2007156180.tif 000003
【図２】
2007156180.tif 000004
【図３】
2007156180.tif 000005
【図４】
2007156180.tif 000006
【図５】
2007156180.tif 000007
【図６】
2007156180.tif 000008
【図７】
2007156180.tif 000009
【図８】
2007156180.tif 000010
【図９】
2007156180.tif 000011
【図１０】
2007156180.tif 000012